(57)【要約】  【課題】  放送されてきた情報を用いたサーバ・サイトへのアクセスを弁別できるようにする。  【解決手段】  放送情報を用いて外部ネットワークのサーバにアクセスするときには、放送情報のオリジン情報および暗号化鍵を取り出す（Ｓ５１）。つぎにパーソナルコンピュータ２０のローカル情報を取り出し、暗号化鍵で暗号化する（Ｓ５２、Ｓ５３）。この後、ＴＣＰ／ＩＰ接続を行い、アクセス先のサーバに対し情報の転送要求を行い、同時にオリジン情報およびローカル情報をサーバに転送する（Ｓ５４、Ｓ５５）。サーバはオリジン情報およびローカル情報を記憶し、また要求された情報をパーソナルコンピュータ２０に転送する（Ｓ５６）。サーバはオリジン情報を統計処理する（Ｓ６１〜Ｓ６３）。パーソナルコンピュータ２０のブラウザは、情報を受信し、内容を解析し、表示装置の画面に表示する（Ｓ５７、Ｓ５８、Ｓ５９）。【選択図】  図１１
2007124640.tif 000002
【特許請求の範囲】
【請求項１】
放送局装置と、受信端末と、サーバ・サイトのコンピュータ・システムとを含んでなる情報アクセス管理システムにおいて、
上記放送局装置は、アンカー情報を埋めこんだコンテンツ情報と、放送されてきた情報を用いたサーバ・サイトへのアクセスであることを当該サーバ・サイトのコンピュータ・システムに対して示すオリジン情報とを含む放送信号を送信する送信手段を有し、
上記受信端末は、
上記コンテンツ情報と上記オリジン情報とを含む上記放送信号を受信する受信手段と、
上記受信手段により受信した放送信号から、上記コンテンツ情報と上記オリジン情報とを取り出す取り出し手段と、
上記取り出した上記コンテンツ情報中のアンカー情報の指定に応じて当該アンカー情報により特定される他のコンテンツ情報の閲覧要求をネットワーク上の上記コンピュータ・システムに発行する閲覧要求発行手段と、
上記閲覧要求を発行するときに上記オリジン情報を上記コンピュータ・システムに供給するオリジン情報供給手段とを有し、
上記コンピュータ・システムが、上記放送信号に多重化された上記コンテンツ情報を利用した当該コンピュータ・システムへの発行要求に関する統計情報を、上記オリジン情報に基づいて取得することを特徴とする情報アクセス管理システム。
【請求項２】
放送局の多重化手段が、アンカー情報を埋めこんだコンテンツ情報と、放送されてきた情報を用いたサーバ・サイトへのアクセスであることを当該サーバ・サイトのコンピュータ・システムに対して示すオリジン情報とを放送信号に多重化するステップと、
上記放送局の送信手段が、上記多重化した放送信号を送信するステップと、
受信端末の受信手段が、上記多重化した放送信号を受信するステップと、
上記受信端末の取り出し手段が、上記受信した放送信号から、上記コンテンツ情報と上記オリジン情報とを取り出すステップと、
上記受信端末の閲覧要求発行手段が、取り出した上記コンテンツ情報中のアンカー情報の指定に応じて当該アンカー情報により特定される他のコンテンツ情報の閲覧要求をネットワーク上の上記コンピュータ・システムに発行するステップと、
上記受信端末の供給手段が、上記閲覧要求を発行するときに上記オリジン情報を上記コンピュータ・システムに供給するステップと、
上記コンピュータ・システムが、上記放送信号に多重化された上記コンテンツ情報を利用した当該コンピュータ・システムへの発行要求に関する統計情報を、上記オリジン情報に基づいて取得するステップとを有することを特徴とする情報アクセス管理方法。
【請求項３】
情報端末とサーバ・サイトのコンピュータ・システムとを含んでなる情報アクセス管理システムにおいて、
上記情報端末は、アンカー情報が埋め込まれたコンテンツ情報と、サーバ・サイトへのアクセスに用いるコンテンツ情報のソースを当該サーバ・サイトのコンピュータ・システムに対して示すオリジン情報とを記録する手段と、
上記コンテンツ情報中のアンカー情報の指定に応じて当該アンカー情報により特定される他のコンテンツ情報の閲覧要求を上記コンピュータ・システムに発行する手段と、
上記閲覧要求を上記コンピュータ・システムに発行するときに上記オリジン情報を上記コンピュータ・システムに供給する手段とを有し、
上記コンピュータ・システムが、当該ソースに由来するコンテンツ情報を利用した当該コンピュータ・システムへの発行要求に関する統計情報を、上記オリジン情報に基づいて取得することを特徴とする情報アクセス管理システム。
【請求項４】
情報端末の記憶手段が、アンカー情報が埋め込まれたコンテンツ情報と、サーバ・サイトへのアクセスに用いるコンテンツ情報のソースを当該サーバ・サイトのコンピュータ・システムに対して示すオリジン情報とを記録するステップと、
上記情報端末の閲覧要求発行手段が、上記コンテンツ情報中のアンカー情報の指定に応じて当該アンカー情報により特定される他のコンテンツ情報の閲覧要求を上記コンピュータ・システムに発行するステップと、
上記情報端末の供給手段が、上記閲覧要求を上記コンピュータ・システムに発行するときに上記オリジン情報を上記コンピュータ・システムに供給するステップと、
上記コンピュータ・システムが、当該ソースに由来するコンテンツ情報を利用した当該コンピュータ・システムへの発行要求に関する統計情報を、上記オリジン情報に基づいて取得するステップとを有することを特徴とする情報アクセス管理方法。
【発明の詳細な説明】
【技術分野】
【０００１】
この発明は、テレビジョン放送等から取得したコンテンツ情報、例えばＨＴＭＬ（ハイパーテキスト・マークアップ・ランゲージ）ファイルを利用してインターネット上のコンピュータ・システムの情報をアクセスする情報アクセスシステムに使用して好適な情報アクセス管理技術に関する。
【背景技術】
【０００２】
本出願人は、インターネット関連の情報を放送信号に多重化させ広く受信者に同報し、このインターネット関連の情報を利用してインターネット上の情報を容易にアクセスできるようにする技術について提案している（特許文献１。出願時未公開）。この提案によれば、例えば、テレビジョン放送信号にウェブ情報やアイコン情報を重畳し、ウェブ情報中のリファレンス領域やアイコン領域に対するクリック操作によりＴＣＰ／ＩＰ（トランスミッション・コントロール・プロトコール／インターネット・プロトコール）接続により所定のＷＷＷ（ワールドワイド・ウェブ）サーバにアクセスし、情報を容易に取得できる。
【０００３】
ところで、ＷＷＷサーバ等で情報提供を行っている業者にとっては、多重放送を介したサーバ・サイトへのアクセスを、他の通常の種類のアクセスと区別することにより、その多重放送の利用度を計量することがこのましい。また、どのような人がサーバ・サイトにアクセスしたのかを知ることがこのましい。
【特許文献１】特開平１０−０５１７５２号公報
【発明の開示】
【発明が解決しようとする課題】
【０００４】
この発明は、以上の事情を考慮してなされたものであり、多重放送した情報を用いたサーバ・サイトへのアクセスを弁別できるようにすることを目的としている。
【課題を解決するための手段】
【０００５】
ここでは、この発明について実施例に用いた符号を参照して説明する。なお、符号は説明の便宜を目的として付しており、これらによりこの発明が何等制約されないことに留意されたい。
【０００６】
この発明の一側面によれば、上述の目的を達成するために、放送局装置（１０）と、受信端末（２０）と、サーバ・サイトのコンピュータ・システム（３１）とを含んでなる情報アクセス管理システムにおいて：上記放送局装置（１０）が、アンカー情報を埋めこんだコンテンツ情報と、放送されてきた情報を用いたサーバ・サイトへのアクセスであることを当該サーバ・サイトのコンピュータ・システムに対して示すオリジン情報とを含む放送信号を送信する送信手段（１３）を有し；上記受信端末（２０）は、上記コンテンツ情報と上記オリジン情報とを含む上記放送信号を受信する受信手段（４１）と、上記受信手段（４１）により受信した放送信号から、上記コンテンツ情報と上記オリジン情報とを取り出す取り出し手段（４４、４５）と、上記取り出した上記コンテンツ情報中のアンカー情報の指定に応じて当該アンカー情報により特定される他のコンテンツ情報の閲覧要求をネットワーク（３０）上の上記コンピュータ・システム（３１）に発行する閲覧要求発行手段（４７）と、上記閲覧要求を発行するときに上記オリジン情報を上記コンピュータ・システムに供給するオリジン情報供給手段（４７）とを有し；上記コンピュータ・システム（３１）が、上記放送信号に多重化された上記コンテンツ情報を利用した当該コンピュータ・システムへの発行要求に関する統計情報を、上記オリジン情報に基づいて取得するようにしている。
【０００７】
この構成によれば、どのようなルートで当該コンピュータ・システムにアクセスがなされたのかを識別してその統計情報を取得できる。例えば、全体のアクセスの内、そのルートがどの程度利用されているのかを把握できる。
【０００８】
また、この発明の他の側面によれば、上述の目的を達成するために、情報端末（２０）とサーバ・サイトのコンピュータ・システム（３１）とを含んでなる情報アクセス管理システムにおいて：上記情報端末（２０）は、アンカー情報が埋め込まれたコンテンツ情報と、サーバ・サイトへのアクセスに用いるコンテンツ情報のソースを当該サーバ・サイトのコンピュータ・システムに対して示すオリジン情報とを記録する手段（２０ａ）と、上記コンテンツ情報中のアンカー情報の指定に応じて当該アンカー情報により特定される他のコンテンツ情報の閲覧要求を上記コンピュータ・システムに発行する手段（４７）と、上記閲覧要求を上記コンピュータ・システムに発行するときに上記オリジン情報を上記コンピュータ・システムに供給する手段（４７）とを有し；上記コンピュータ・システム（３１）は、当該ソースに由来するコンテンツ情報を利用した当該コンピュータ・システムへの発行要求に関する統計情報を、上記オリジン情報に基づいて取得するようにしている。
【０００９】
この構成においても、どのようなルートで当該コンピュータ・システムにアクセスがなされたのかを識別してその統計情報を取得できる。例えば、全体のアクセスの内、そのルートがどの程度利用されているのかを把握できる。
【００１０】
なお、この発明はシステムないし装置として実現できるだけでなく、方法としても実現でき、さらに、の少なくとも一部をコンピュータ・プログラム製品として実装することができることはもちろんである。
【００１１】
さらに、この発明の具体的な側面または代替的な側面について説明する。
【００１２】
この発明の具体的または代替的な側面によれば、情報アクセス方法において、コンテンツ情報とオリジン情報とを放送信号に多重化するステップと、上記多重化した放送信号を送信するステップと、上記多重化した放送信号を受信するステップと、上記受信した放送信号から、上記コンテンツ情報と上記オリジン情報とを取り出すステップと、取り出した上記コンテンツ情報を利用してネットワーク上のコンピュータ・システムにアクセスするステップと、上記アクセスするときに上記オリジン情報を上記コンピュータ・システムに供給するステップとを実行するようにしている。
【００１３】
この構成においては、放送されてきた情報を用いたサーバ・サイトへのアクセスを識別することができる。
【００１４】
また、この構成において、上記オリジン情報は上記放送信号を送出する放送局、放送プログラムおよび放送時刻の少なくとも１つを含む情報とすることができる。
【００１５】
また、上記コンピュータ・システムに保管された上記オリジン情報を取り出すステップをさらに実行するようにしてもよい。
【００１６】
また、上記オリジン情報は、上記コンピュータ・システムに供給される前にプロテクト状態とされていてもよい。この場合、上記プロテクト状態への変換は暗号化により行われてもよい。また、上記取り出されたオリジン情報を復号するステップをさらに実行するようにしてもよい。
【００１７】
また、上記オリジン情報を供給するステップは、上記コンテンツ情報を利用して上記コンピュータ・システムへのアクセスを行うプログラムが実行するようにしてもよい。
【００１８】
また、上記オリジン情報を供給するステップは、上記コンテンツ情報とともに供給されたプログラムにより実行されるようにしてもよい。
【００１９】
また、上記コンピュータ・システムにアクセスする情報アクセス装置に関する情報を、上記コンピュータ・システムにアクセスするときに、上記コンピュータ・システムに供給するステップを実行するようにしてもよい。このようにすると、アクセス・サイトのローカルな情報を収集することができる。
【００２０】
この場合、上記情報アクセス装置に関する情報を、上記コンピュータ・システムに供給する前にプロテクト状態にするようにしてもよい。また、上記プロテクト状態にするための情報を上記放送信号に多重化するようにしてもよい。また、上記プロテクト状態への変換は暗号化により行われるようにしてもよい。
【００２１】
また、上記情報アクセス装置に関する情報は上記情報アクセス装置を利用する人の情報とすることができる。
【００２２】
また、この発明の具体的または代替的な側面によれば、放送装置に、コンテンツ情報とオリジン情報とを放送信号に多重化する手段と、上記多重化した放送信号を送信する手段とを設けるようにしている。
【００２３】
この構成においても、放送されてきた情報を用いたサーバ・サイトへのアクセスを識別することができる。
【００２４】
また、この発明によれば、上述の目的を達成するために、放送装置に、コンテンツ情報とオリジン情報とプロテクト手法に関する情報とを放送信号に多重化する手段と、上記多重化した放送信号を送信する手段とを設けるようにしている。
【００２５】
この構成においても、放送されてきた情報を用いたサーバ・サイトへのアクセスを識別することができる。また、アクセス・サイトのローカルな情報をプロテクトしてコンピュータ・システムの送出し、送出先でローカルな情報を収集することができる。
【００２６】
また、この発明の具体的または代替的な側面によれば、情報アクセス装置に、コンテンツ情報とオリジン情報とが多重化された放送信号を受信する手段と、上記受信した放送信号から上記コンテンツ情報と上記オリジン情報とを取り出す手段と、上記コンテンツ情報を利用してコンピュータ・システムにアクセスする手段と、上記アクセスするときに上記オリジン情報をコンピュータ・システムに供給する手段とを設けるようにしている。
【００２７】
この構成においても、放送されてきた情報を用いたサーバ・サイトへのアクセスを識別することができる。
【００２８】
また、この構成において、情報アクセス装置に関する情報を、上記アクセスするときに上記コンピュータ・システムに供給するようにしてもよい。また、上記オリジン情報はプロテクト状態とされていてもよい。また、上記情報アクセス装置に関する情報はプロテクト状態とされていてもよい。
【００２９】
また、この発明の具体的または代替的な側面によれば、情報アクセス装置に、コンテンツ情報とオリジン情報とプロテクト手法に関する情報が多重化された放送信号を受信する手段と、上記受信した放送信号から上記コンテンツ情報と上記オリジン情報とプロテクト手法に関する情報とを取り出す手段と、上記コンテンツ情報を利用してコンピュータ・システムにアクセスする手段と、上記プロテクト手法に関する情報を利用して情報アクセス装置に関する情報をプロテクト状態に変換する手段と、上記コンピュータシステムにアクセスするときに上記オリジン情報と、上記プロテクト状態の情報アクセス装置に関する情報とをコンピュータ・システムに供給する手段とを設けるようにしている。
【００３０】
この構成においても、放送されてきた情報を用いたサーバ・サイトへのアクセスを識別することができる。また、アクセス・サイトのローカルな情報をプロテクトしてコンピュータ・システムへ送出し、送出先でローカルな情報を収集することができる。
【００３１】
また、この発明の具体的または代替的な側面によれば、上述の目的を達成するために、情報アクセス装置に、コンテンツ情報を含む放送信号を受信する手段と、上記受信した放送信号から上記コンテンツ情報を取り出す手段と、上記放送信号の受信状態からオリジン情報を取得する手段と、上記コンテンツ情報を利用してコンピュータ・システムにアクセスする手段と、上記アクセスするときに上記オリジン情報をコンピュータ・システムに供給する手段とを設けるようにしている。
【００３２】
この構成においても、放送されてきた情報を用いたサーバ・サイトへのアクセスを識別することができる。この場合、放送信号の選局等の受信状態からオリジン情報を取得するので放送信号にオリジン信号を含ませる必要がない。
【００３３】
また、この発明の具体的または代替的な側面によれば、上述の目的を達成するために、情報アクセス装置に、コンテンツ情報およびオリジン情報を記録する手段と、上記コンテンツ情報を用いてコンピュータ・システムにアクセスする手段と、上記コンピュータ・システムにアクセスするときに上記オリジン情報を上記コンピュータ・システムに供給する手段とを設けるようにしている。
【００３４】
この構成においては、放送されてきた情報やＣＤ−ＲＯＭ等の媒体に記録された情報を用いたサーバ・サイトへのアクセスをオリジン情報により識別することができる。オリジン情報は、コンテンツ情報が多重された放送信号、コンテンツ情報自体をデータ放送する放送信号、コンテンツ情報を記録した記録媒体等を区別する。
【００３５】
また、この発明の具体的または代替的な側面によれば、上述の目的を達成するために、情報アクセス装置に、コンテンツ情報およびオリジン情報を記憶する手段と、情報アクセス装置に関する情報を記憶する手段と、上記コンテンツ情報を用いてコンピュータ・システムにアクセスする手段と、上記コンピュータ・システムにアクセスするときに上記オリジン情報と上記情報アクセス装置に関する情報とを上記コンピュータ・システムに供給する手段とを設けるようにしている。
【００３６】
この構成においても、放送されてきた情報やＣＤ−ＲＯＭ等の媒体に記録された情報を用いたサーバ・サイトへのアクセスを識別することができる。また、アクセス・サイトのローカルな情報を収集することができる。
【００３７】
なお、上述の具体的または代替的な側面においても少なくとも一部をコンピュータ・プログラム製品として実現することができることはもちろんである。
【発明の効果】
【００３８】
以上説明したように、この発明によれば、放送されてきた情報やＣＤ−ＲＯＭ等の媒体に記録された情報を用いたサーバ・サイトへのアクセスを識別することができる。
【発明を実施するための最良の形態】
【００３９】
以下、この発明の実施例について説明する。
【００４０】
図１は、この実施例が適用される放送および情報処理システムの概要を示すものであり、この図において、テレビジョン放送局１０には、放送サーバ１１、コンテンツ制作用端末１２、送信施設１３等が設けられている。放送サーバ１１で作成された放送プログラムは送信施設１３を介して放送される。この実施例の放送プログラムの送信信号中には、通常のテレビジョン信号と、このテレビジョン信号の垂直帰線期間に多重化されるコンテンツ情報とが含まれる。受信側では、アンテナ（図示しない）等を介して放送信号が受信され、テレビジョン受像機またはテレビジョン受像機能を有するパーソナルコンピュータ等で放送信号を再生する。図では、テレビジョン受像機能を有するパーソナルコンピュータ２０を一例として示している。パーソナルコンピュータ２０は放送信号を復調する機能を有し、復調した信号に基づいてスクリーンの全部または一部を利用してテレビジョン画像を再生する。またパーソナルコンピュータ２０は図示のようにモデム２１を介して電話回線に接続されている。パーソナルコンピュータ２０はモデル２１等（必要であればインターネットサービスプロバイダを介して）によりインターネット３０に接続されている。このインターネットには種々のサーバが接続されている。この例では、情報提供用のＷＷＷサーバ３１が接続されている。
【００４１】
なお、フロッピディスクやＣＤ−ＲＯＭ等の記録媒体２０ｂは、後述するＢｉｔｃａｓｔソフトウェア４８（Ｂｉｔｃａｓｔは株式会社インフォシティの商標である）をパーソナルコンピュータ２０にインストールするのに用いられる。また、ＣＤ−ＲＯＭ駆動装置、ＤＶＤ（デジタルビデオディスク）駆動装置等のデータ記録再生装置、ＢＳ放送、ＣＳ放送、ケーブルテレビ放送のチューナやセットトップボックス等の機器２０ａはパーソナルコンピュータ２０にデータを供給するようになっている。
【００４２】
この実施例においては、放送局１０は、ＷＷＷサーバからのＨＴＭＬで記述されたウェブ情報（ウェブページ）を受け取り、通常の放送プログラムの放送信号に多重して放送する。この場合、ウェブ情報を直接用いて送信するのではなく、コンテンツ制作用端末１２で加工して送信してもよく、コンテンツ制作用端末１２で個別に用意した情報を送信するようにしてもよい。
【００４３】
図２は、放送局１０における動作を示しており、この図において、例えば、コンテンツ制作用端末１２で制作したコンテンツ・ボディ（ウェブ情報）を取り出す（Ｓ１１）。つぎにコンテンツ・ボディに関する付加情報、例えば、表示時刻等の情報を追加する（Ｓ１２）。さらに、オリジン情報、例えば放送局名、放送時刻、放送プログラム名等を取り出し、暗号化して追加する（Ｓ１３）。暗号化は例えば公開暗号鍵で行う。この場合、公開暗号鍵の秘密鍵で暗号化する場合も、公開鍵で暗号化する場合もある。慣用暗号鍵で暗号化してもよい。その他、種々のプロテクト手法を採用できる。
【００４４】
この後、ローカル情報を暗号化する暗号化鍵をコンテンツに追加する（Ｓ１４）。ローカル情報は、放送を受信するパーソナルコンピュータ２０の情報であり、例えば、パーソナルコンピュータ２０のユーザの氏名、住所、年齢、嗜好等である。ローカル情報の暗号化については後述する。
【００４５】
このように一体化されたコンテンツ・ボディおよび追加情報をあわせてメッセージと呼ぶことにする（図３（ａ））。このメッセージはパケット化され（Ｓ１５、図３（ｂ））、パケットごとにＶＢＩ信号（Ｖｅｒｔｉｃａｌ  Ｂｌａｎｋｉｎｇ  Ｉｎｔｅｒｖａｌ信号）とされて垂直帰線期間の所定の水平周期で放送信号に多重化され（Ｓ１６、図３（ｃ））、必要に応じて録画され、この後、放送される（Ｓ１７、Ｓ１８）。
【００４６】
図４は、図１のパーソナルコンピュータ２０においてメッセージを受信表示するための構成を示しており、この図において、パーソナルコンピュータ２０はテレビジョン信号チューナ４１、波形等価回路４２、Ａ／Ｄ変換器４３、パケット抽出部４４、番組データ生成部４５、Ｂ−ＨＴＴＰサービス部４６、Ｂｉｔｃａｓｔブラウザ部４７等を有している。この例では、  Ｂ−ＨＴＴＰサービス部４６およびＢｉｔｃａｓｔブラウザ部４７をＢｉｔｃａｓｔソフトウェア製品４８として提供するようになっている。
【００４７】
チューナ４１は変調されて送信されてくるテレビジョン信号を選局、復調するものである。波形等価器４２はテレビジョン信号の波形の乱れや信号レベルを補正する。Ａ／Ｄ変換器４３は特定の水平走査期間の信号を１／３６４ｆＨ（ｆＨは水平走査周波数）秒単位で標本化し、デジタル情報を生成する。パケット抽出部４４は、デジタル情報をパケット化し、伝送誤りや、訂正を行う。番組データ生成部４５は、抽出したパケットを組み合わせてデータブロックを生成する。
【００４８】
なお、データブロックが一まとめにされてデータグループ（メッセージ）として処理される。
【００４９】
Ｂ−ＨＴＴＰサービス部４６は、番組データ生成部４５から受け取ったメッセージを解析し、キャッシュ５１に一時記憶する。Ｂｉｔｃａｓｔブラウザ部４７はＢ−ＨＴＴＰサービス部４６からキャッシュ５１の内容についての情報を受け取り、この情報に基づいて、メッセージの表示時刻にメッセージをキャッシュ５１から取り出して表示装置の画面に表示する。なお、キャッシュ５１は所定の規則によりキャッシュ制御部５２により制御される。
【００５０】
図５は、コンテンツ情報の受信動作を示すものであり、この図において、まず放送信号が受信され（Ｓ２１）、その垂直帰線期間のＶＢＩ信号が抜き出され（Ｓ２２）、Ａ／Ｄ変換器４３によりデジタル情報とされる（Ｓ２３）。このデジタル情報はパケット抽出器４４によりパケット情報とされ（Ｓ２４）、さらに番組データ生成部４５によりデータブロックとされる（Ｓ２５）。Ｂ−ＨＴＴＰサービス部４６は一群のデータブロックからなるメッセージを追加情報に従ってキャッシュ５１に蓄える。
【００５１】
なお、メッセージにオリジン情報が付加されていない場合には、図５に点線で示すように、チューナ４１の選局状態に基づいてオリジン情報を取得し（Ｓ２６）、メッセージに付加するようにしてもよい（Ｓ１７）。この場合の、オリジン情報も、例えば、放送局名、受信時刻、番組名である。選局状態から放送局を判別でき、また内臓タイマを利用して受信時刻を識別できる。また、テレビジョン放送の番組情報を予め入手していれば、番組名を特定することもできる。
【００５２】
図６は、メッセージの表示動作を示すものであり、この図の例では、メッセージが本放送プログラムの放送に同期して表示されるようになっている。この場合、メッセージは、コンテンツ・ボディの他に表示時刻を表す追加情報を含む。図６において、表示時刻が到来すると（Ｓ３１）、対応するコンテンツ・ボディがキャッシュ５１から読み出され（Ｓ３２）、コンテンツ・ボディをＨＴＭＬ文法にしたがって解析して表示装置に表示する（Ｓ３３、Ｓ３４）。表示は例えば図７に示すようなものであり、領域４７ｂにテレビ放送が表示され、領域４７ａにコンテンツ・ボディが表示される。コンテンツ・ボディはＨＴＭＬで記述されたウェブ情報等であり、リファレンス領域４７ｃをクリック操作することにより、アンカ情報が指し示すアドレスの情報（ローカルに保持している情報やインターネット上のサーバが保持する情報）にアクセスすることができる。
【００５３】
図７の表示態様は一例であり、ユーザの指定、またはメッセージの付加情報による指定により、種々の態様で表示を行える。
【００５４】
なお、図７の表示装置の表示領域４７ｄには、例えば、キャッシュ５１のエントリがリスト表示されるようになっている。このエントリは、図８に示すように、メッセージの名前、チャンネル、日付、ジャンル等を含んでいる。もちろん、このうちの一部のみを表示してもよいし、他の項目を表示してもよい。キャッシュ５１のエントリは、キャッシュ制御部５２により種々の基準でリプレースされる。すなわち、キャッシュ５１の容量（例えば１００メガバイト、ユーザが設定できるようにしてもよい）が一杯になったときには、所定の規則（ＬＲＵ等）にしたがって最も優先度の低いエントリをキャッシュ５１から削除する。ユーザは領域４７ｄに表示されるエントリをクリック操作等してロックして、必要なメッセージ（エントリ）が削除されないようにすることができる。もちろん、ロック状態（削除禁止）から非ロック状態に変更することもできる。ロック状態のエントリに対しては所定のマークが表示され、ロック状態であることが表示されるようになっている。
【００５５】
図９は、キャッシュ制御部５２の処理を示しており、この図において、データを取得すると、キャッシュ５１の容量あふれがチェックされる（Ｓ４１）。容量あふれのチェックの結果、エントリの削除が必要であれば規則に基づいて所定の順番に１または複数のエントリをキャッシュ５１から削除する（Ｓ４２）。こののち、取得したデータをキャッシュ５１に保存する（Ｓ４３）。そして、表示用データを作成し（ソート等）、表示領域４７ｄにおいて表示する（Ｓ４４、Ｓ４５）。
【００５６】
図１０は、アンカ情報がインターネット上のサーバを指示する場合の動作を示す。図１０において、アンカ情報がインターネット上のロケーションを指示する場合には、アンカ情報を埋め込んでいたメッセージのオリジン情報（暗号化）および暗号化鍵を取り出す（Ｓ５１）。つぎにパーソナルコンピュータ２０のローカル情報を取り出す（Ｓ５２）。ローカル情報はプロファイル情報（平文）としてパーソナルコンピュータ２０に保持されている。取り出したローカル情報はメッセージの暗号化鍵で暗号化する（Ｓ５３）。この後、モデム２１を利用してＴＣＰ／ＩＰ接続を行う（Ｓ５４）。そして、アンカ情報が指定するＩＰアドレスのサーバに対し情報（ＨＴＭＬファイル）の転送要求を行い、同時にオリジン情報およびローカル情報をサーバに転送する（Ｓ５５）。サーバはオリジン情報およびローカル情報を記憶し、また要求された情報をパーソナルコンピュータ２０に転送する（Ｓ５６）。サーバにおけるオリジン情報およびローカル情報の記憶、その他の処理はＣＧＩ（コモンゲートインターフェース）により行うようにできる。パーソナルコンピュータ２０のＢｉｔｃａｓｔブラウザ部４７は、要求した情報（ＨＴＭＬファイル）を受信し、内容を解析し、表示装置の画面に表示する（Ｓ５７、Ｓ５８、Ｓ５９）。
【００５７】
図１１は、サーバで保管されたオリジン情報およびローカル情報の処理を示しており、この図において、まず、オリジン情報およびローカル情報が取り出される（Ｓ６１）。つぎに暗号鍵を用いてオリジン情報およびローカル情報を復号する（Ｓ６２）。こののち、オリジン情報およびローカル情報をソート等して統計情報やユーザ情報を取得する（Ｓ６３）。
【００５８】
なお、暗号化に用いた鍵が公開暗号の公開鍵の場合には、秘密鍵でなければ、計算経済上、復号を行えないので、秘密鍵を管理している管理者がオリジン情報およびローカル情報を処理することになる。この場合、管理者が直接処理を行ってもよいし、特別なセキュリティ装置を貸与してサーバ管理者または第３者が処理を行ってもよい。
【００５９】
暗号化に用いた鍵が秘密鍵の場合には（秘密鍵をプロテクトする手段が必要である）、サーバ管理者等が公開鍵を用いて復号を行える。
【００６０】
つぎに、ローカル情報について説明する。ローカル情報は、Ｂｉｔｃａｓｔソフトウェアをインストールする際に入力できるようになっている。すなわち、入力フォーマットがユーザに提示され、氏名、住所等を入力できるようになっている。この情報はプロファイル情報としてプロファイル情報記録部６１（図１２）に保持される。そして、放送に多重されて送られてくるアンカ情報を利用して外部サーバにアクセスするときに、このプロファイル情報がブラウザ４７を介して自動的にサーバ側に転送されるようにしている。
【００６１】
また、このプロファイル情報は、インターネット上で電子商取引や電子決済を行うときにも利用できる。すなわち、インターネット上で電子商取引を行う場合には図１２に示すようなウェブページの入力フォームから図１２に示すように、氏名、住所、クレジットカード番号等を入力する。転送ファイル生成部６３は、入力情報に基づいて、属性および属性値からなる転送ファイルを生成し、転送部６４がサーバに転送ファイルを転送する。この実施例によれば、プロファイル情報保持部６１のプロファイル情報を用いることにより、データを入力する手間を省くことができる。放送に多重されるウェブ情報はプロファイルデータを取り込みやすい画一的なデータ構造とすることが好ましい。入力フォール解析部６２を設ければ、データ構造が区々とする場合でも、入力フォーマット、例えば、ＨＴＭＬのフォームや入力フィールド近傍の文字等を認識してその領域に入力を自動的に行うようにできる。すなわち、入力フォーム解析部６２の解析結果をもとにプロファイル情報保持部６１から情報を取り出して、入力フォームに適合した転送ファイルを生成し、サーバにユーザ情報を送ることができる。
【００６２】
なお、この発明は上述の実施例に限定されるものではなく、種々変更が可能である。例えば、オリジン情報単独で、あるいはローカル情報単独でサーバ側に転送するようにしてもよい。また、オリジン情報を平文のまま放送に多重化し、パーソナルコンピュータ２０において暗号化するようにしてもよい。また、オリジン情報およびローカル情報を例えば公開暗号手法でプロテクトしたが、他の暗号手法、暗号手法の組み合わせ等種々のプロテクト手法を採用できる。
【００６３】
また、上述の実施例では、オリジン情報をコンテンツ・ボディ（ウェブ情報）に追加して多重放送するようにしたが、ＪＡＶＡアプレット（商標）やアクティブＸ（商標）等のプログラム実行機能を転送し、ブラウザ側でプログラムがオリジン情報をサーバ側に転送するようにしてもよい。この場合、オリジン情報は放送信号に多重化されて送られたものでもよいし、チューナやタイマからの情報を用いてもよい。
【００６４】
また、上述の実施例ではコンテンツ情報がテレビジョン放送に多重化された例を説明したが、ラジオ放送等、種々の放送の信号にコンテンツ情報を多重化してもよい。また、地上波放送のみでなく、有線放送、衛星放送であってもよい。また、コンテンツ情報自体を本放送とするデータ通信放送であってもよい。有線放送、衛星放送、データ通信放送の場合には、専用のセットトップボックス（図１の２０ａ）を用いることができる。もちろん、セットトップボックスの機能をパーソナルコンピュータ２０に実装してもよい。
【００６５】
また、ＣＤ−ＲＯＭやＤＶＤ等の記録媒体にコンテンツ情報（ＨＴＭＬファイル等）を記録し、この記録媒体のコンテンツ情報を再生装置（図１の２０ａ）で再生し、再生したコンテンツ情報を利用してインターネットのサーバにアクセスする場合にも、記録媒体にオリジン情報（記録媒体の発行情報）を記録し、これをサーバ側に転送するようにすることができる。このようにすれば、記録媒体経由のサーバアクセスの情報を管理することができる。
【００６６】
最後に、この発明と関連するキャッシュ管理技術およびユーザ情報入力技術についてその特徴を整理しておくことにする。
【００６７】
実施例で示したキャッシュ管理技術によれば、キャッシュ管理装置に、一時記憶するエントリを受け取り記憶する手段と、記録済みのエントリを所定の規則にしたがって削除する手段と、上記エントリに関する情報を表示する手段と、表示されたエントリを特定して削除禁止状態を設定する手段とを設けるようにしている。
【００６８】
この構成においては、再度入手することが困難なストリームの情報をキャッシュする場合にも、必要な情報は削除禁止にすることができる。
【００６９】
また、実施例で示したユーザ情報入力技術によれば、ユーザ情報入力装置に、ユーザの情報を記憶するユーザ情報記憶手段と、ユーザの情報を入力するユーザインターフェースを提供する手段と、上記ユーザインターフェースを介して入力された情報に基づいて所定の転送情報を生成する手段と、上記転送情報を転送する手段と、上記ユーザインターフェースを解析して上記ユーザ情報記憶手段に記憶されているユーザ情報を利用して上記所定の転送情報を生成する手段とを設けるようにしている。
【００７０】
この構成においては、入力フォーマットが区々としていても、予め記録しておいたユーザプロファイルを利用でき、新たにユーザ情報を入力する手間が省ける。
【００７１】
以上で実施例の説明を終了する。
【図面の簡単な説明】
【００７２】
【図１】この発明の実施例を全体として示す模式図である。
【図２】放送局における送信動作を説明するフローチャートである。
【図３】メッセージの構成を説明する図である。
【図４】この実施例の受信側装置の構成を示すブロック図である。
【図５】この実施例の受信側装置の受信動作を説明するフローチャートである。
【図６】この実施例の受信装置側のデータ表示動作を説明するフローチャートである。
【図７】図６の表示動作を説明する図である。
【図８】図７の表示態様の一部をさらに詳細に示す図である。
【図９】キャッシュ制御部５２の処理を説明するフローチャートである。
【図１０】この実施例の受信装置側から外部のサーバへのアクセスの動作を説明するフローチャートである。
【図１１】この実施例において保管されるオリジン情報およびローカル情報の処理を説明するフローチャートである。
【図１２】この実施例におけるプロファイル情報の利用形態を説明する図である。
【符号の説明】
【００７３】
１０    放送局
１１    放送サーバ
２０    パーソナルコンピュータ
３１    ＷＷＷサーバ
４１    チューナ
４２    波形等価器
４３    Ａ／Ｄ変換器
４４    パケット抽出器
４５    番組データ生成部
４６    Ｂ−ＨＴＴＰサービス部
４７    Ｂｉｔｃａｓｔブラウザ
５１    キャッシュ
５２    キャッシュ制御部
６１    プロファイル情報保持部
【図１】
2007124640.tif 000003
【図２】
2007124640.tif 000004
【図３】
2007124640.tif 000005
【図４】
2007124640.tif 000006
【図５】
2007124640.tif 000007
【図６】
2007124640.tif 000008
【図７】
2007124640.tif 000009
【図８】
2007124640.tif 000010
【図９】
2007124640.tif 000011
【図１０】
2007124640.tif 000012
【図１１】
2007124640.tif 000013
【図１２】
2007124640.tif 000014